(57)【特許請求の範囲】
【請求項１】
焦電体基板の受光面側となる一面に表面電極を配し、前記焦電体基板の他面の前記表面電極に対応する位置に裏面電極を配した焦電素子を少なくとも一つ備えるセンサ素子と、前記センサ素子を覆い、前記表面電極に対向する開口部を有するシールドケースと、前記開口部に設置される赤外線透過フィルターと、前記センサ素子の出力信号をインピーダンス変換して出力する出力回路を備えた焦電型赤外線センサであって、
前記表面電極は、受光電極と、温度補償電極とから構成されており、
前記赤外線透過フィルターと前記温度補償電極とが互いに対向する領域の一部分に、外部から入射する赤外線を反射する反射膜を少なくとも１箇所備えており、
前記赤外線透過フィルターは、前記表面電極と対向する内側面と、当該内側面の裏側の面である外側面とを有しており、
前記反射膜は、前記内側面のみに形成されていることを特徴とする、焦電型赤外線センサ。
【請求項２】
前記表面電極は複数の領域に分割され、かつ互いに接続されていることを特徴とする、請求項１に記載の焦電型赤外線センサ。
【請求項３】
前記反射膜は、スパッタ法または真空蒸着法により形成されることを特徴とする、請求項１又は請求項２に記載の焦電型赤外線センサ。
【請求項４】
前記反射膜は、印刷法または塗布、転写、ディップ工法のいずれかにより形成されることを特徴とする、請求項１又は請求項２に記載の焦電型赤外線センサ。
【請求項５】
前記反射膜は、薄板を前記シールドケースまたは前記赤外線透過フィルターへ貼り合わせて形成されることを特徴とする、請求項１又は請求項２に記載の焦電型赤外線センサ。
【発明の詳細な説明】
【技術分野】
【０００１】
本発明は、焦電型赤外線センサに関し、特に数ｍの範囲で十分な検知能力が得られる焦電型赤外線センサに関する。
【背景技術】
【０００２】
焦電型赤外線センサは、赤外線センサの一種であり、焦電体基板の表裏に電極が設置されてなる焦電素子を検出画素として備えている。
【０００３】
焦電体基板の表面には自発分極による表面電荷が存在する。通常は表面電荷が周囲の浮遊電荷を引き寄せるため、周囲温度が一定であれば焦電体基板の表面は電気的に中性の状態に保たれている。
【０００４】
周囲温度が変化すると、それに伴い焦電体基板における自発分極の状態は変化する。自発分極の状態変化は焦電体基板の周囲に存在する浮遊電荷の応答よりも早いため、焦電体基板表面の電気的な中性状態が崩れて焦電体基板表面には表面電荷が生じる。この表面電荷を電極から出力信号として取り出すことで、焦電素子をセンサとして使用できる。焦電型赤外線センサの多くは、上記のような焦電素子を検出画素として複数個備えたセンサ素子群により構成されている。
【０００５】
焦電型赤外線センサの例として、赤外線を検知する電極（受光主エレメント）と周囲の温度変化をモニターして温度変化を補正する電極（温度補償エレメント）を備えた、補償シングル型と呼ばれる焦電型赤外線センサが特許文献１で開示されている。
【０００６】
特許文献１において、赤外線フィルターのシールドケース（外装缶）の窓部には、受光主エレメントのみに赤外線が入光するように赤外線を透過させるフィルターが設置されている。また、温度補償エレメントは外部から照射される赤外線の影響を受けないよう、遮蔽されている。
【０００７】
また特許文献２には、分極方向が互いに異なる２つの集電素子を、直列または並列に接続したデュアル型の赤外線センサが開示されている。
【先行技術文献】
【特許文献】
【０００８】
【特許文献１】実用新案登録第３０４３３８１号公報
【特許文献２】特開昭６２−１８７２７７号公報
【発明の概要】
【発明が解決しようとする課題】
【０００９】
このような受光主エレメントおよび温度補償エレメントの構造（形状、寸法）は、シールドケースの大きさと、赤外線が透過する開口部の面積によって制限される。
【００１０】
例えば、シールドケース上面部の開口部を大きくして赤外線の照射量を増やし、センサの視野角を拡げようとすると、温度補償エレメントに赤外線が回り込んでセンサの感度に影響を及ぼす可能性がある。逆に開口部を小さくすると、赤外線の照射範囲や照射量を制限してしまうだけでなくセンサの視野角も狭くなり、センサ出力が低下する。
【００１１】
また、センサの視野角は、開口部の面積が同じであれば受光主エレメントと開口部との距離が長い程狭くなり、短い程広くなる。しかし、開口部とセンサ素子の空間にセンサ感度を向上させるための遮光板や集光ミラーを配置するため、シールドケースとセンサ素子の間には一定距離以上の空間が必要である。この空間が存在することは実際の設計において視野角の設定可能範囲を制限する要因であり、センサを小型化するための妨げとなっていた。
【００１２】
そこで、本発明の課題は、小型、広視野角で十分な出力が得られる焦電型赤外線センサを提供することにある。
【課題を解決するための手段】
【００１３】
上記課題を解決するために、本発明による焦電型赤外線センサは、焦電体基板の受光面側となる一面に表面電極を配し、前記焦電体基板の他面の前記表面電極に対応する位置に裏面電極を配した焦電素子を少なくとも一つ備えるセンサ素子と、前記センサ素子を覆い、前記表面電極に対向する開口部を有するシールドケースと、前記開口部に設置される赤外線透過フィルターと、前記センサ素子の出力信号をインピーダンス変換して出力する出力回路を備えた焦電型赤外線センサであって、前記赤外線透過フィルターと前記表面電極が互いに対向する領域の少なくとも一部分に、外部から入射する赤外線を反射する反射膜を少なくとも１箇所備えたことを特徴とする。
【００１４】
ここで、表面電極と裏面電極は焦電体基板を挟んで互いに対向して配置されるため、コンデンサが形成される。表面電極は、赤外線の受光量に応じて出来るだけ大きな表面電荷を得られるよう、電極面積を大きくすることが望ましい。電極面積を大きくすることで、センサ素子の静電容量が大きくなり、センサのＳ／Ｎ比が向上する。
【００１５】
また、必要に応じて表面電極の表面に酸化チタンまたはカーボン等の赤外線吸収膜をコーティングすることにより、赤外線の吸収効率が向上する。すなわち、熱効率が高く、外来ノイズに強い、高感度の赤外線センサが得られる。
【００１６】
焦電体基板の裏面には、裏面電極のほかにセンサの出力信号を引き出す出力電極が設けられる。出力電極は、表面電極で吸収された熱の放出を出来るだけ少なくするため、表面電極および裏面電極から出来るだけ離して配置することが望ましい。
【００１７】
シールドケースは電磁シールド性能が高く線膨張係数の低い４２アロイを使用することが望ましいが、その代用として安価なＦｅ系金属または非磁性系の金属にＮｉメッキ等で表面処理を施したものを使用しても構わない。
【００１８】
赤外線透過フィルターは、珪素やゲルマニウムなどの赤外線透過材に硫化亜鉛等の層を多層形成して得られる。透過させる赤外線の波長は５μｍ〜１５μｍ程度とするのが望ましい。必要であれば、さらに反射防止膜を多層形成することで透過率を向上できる。
【００１９】
出力回路は接合型電界効果トランジスタのみで構成されるのが望ましいが、基準電圧の変動を抑制するため、必要に応じて抵抗値の高い（数ＧΩ〜数十ＧΩ程度）抵抗器をセンサ素子と並列に接続しても構わない。このような構成とすることで、安定したセンサ出力が得られる。
【００２０】
また、本発明による焦電型赤外線センサは、表面電極が複数の領域に分割され、かつ互いに接続されており、分割された表面電極同士を接続する接続パターンと対向する領域に反射膜が設けられることを特徴とする。検知領域を分割することで、デュアル型の赤外線センサとして使用できる。また、検知対象物の動きをより細かく検知できる赤外線センサが得られる。
【００２１】
また、本発明による焦電型赤外線センサは、赤外線透過フィルターに形成される反射膜を、スパッタ法または真空蒸着法により形成することを特徴とする。スパッタ法または真空蒸着法により薄い反射膜を形成し、反射膜の熱容量を小さくすることで反射膜がセンサ素子の特性に与える影響をさらに低減できる。
【００２２】
また、本発明による焦電型赤外線センサは、赤外線透過フィルターに形成される反射膜を、印刷法または塗布、転写、ディップ工法のいずれかにより形成することを特徴とする。
【００２３】
また、本発明による焦電型赤外線センサは、赤外線透過フィルターに形成される反射膜を、前記シールドケースまたは前記赤外線透過フィルターと薄板を貼り合わせて形成することを特徴とする。
【００２４】
さらに、本発明による焦電型赤外線センサは、表面電極を複数に分割して、隣り合った表面電極をペアにして接続し、一方を反射膜で遮蔽して温度補償電極として使用し、他方を赤外線検知電極として使用してもよい。このような構成とすることで、センサ素子は極性を反転させて直列に接続された状態と等価になり、外乱による影響をさらに低減できる。
【００２５】
さらに、本発明による焦電型赤外線センサの赤外線透過フィルターに設ける反射膜は、前述のペアにして接続した表面電極の接続パターンと対向するように配置してもよい。各々のセンサ素子が赤外線を検知できる範囲（視野角）は、集電素子の各々の電極と反射膜との位置関係によって決まるので、このように反射膜を配置することにより、視野角が互いに交わらないように配置できる。
【発明の効果】
【００２６】
上記のように、赤外線透過フィルターと表面電極が互いに対向する領域の少なくとも一部分に外部から入射する赤外線を反射する反射膜を設けて、赤外線透過フィルターと表面電極を極近で配置することにより、反射膜を赤外線の遮光板として使用できる。すなわち、赤外線の遮蔽が必要な補償電極に対しては、赤外線の回り込みを防ぎ、補償電極を赤外線から確実に遮蔽できる焦電型赤外線センサが得られる。
【００２７】
さらに、赤外線の受光が必要な受光側電極に対しては、十分な視野角を持つ焦電型赤外線センサが得られる。さらに、シールドケースとセンサ素子のクリアランスを低減することで、小型化も容易な焦電型赤外線センサが得られる。
【００２８】
また、赤外線透過フィルターと表面電極を極近距離で配置することから、視野角を自由にかつ高い精度で設定できる焦電型赤外線センサが得られる。例えば、デュアル型の焦電型赤外線センサにおいては、二つに分割され互いに接続された表面電極がそれぞれ検知可能な視野角を、互いに打ち消さないよう設定し、赤外線受光領域を各々の電極に分担できる。
【００２９】
このような構成とすることで、１つの電極で構成する視野角に比べて広範囲な視野角を持つ焦電型赤外線センサが得られる。さらに、各々の受光電極で検知可能な領域に、赤外線が検知されない領域、つまり不感帯領域を設けて受光範囲からの出入りを検知することで、さらに狭い範囲での移動を検知可能な焦電型赤外線センサが得られる。
【００３０】
また、反射膜はスパッタ法または真空蒸着法により反射膜を形成してもよい。これらの方法を用いることで膜厚を薄くできる。膜圧の薄い反射膜は熱容量が非常に少なく、放熱性が向上するため、センサ素子に及ぼす熱的な影響を低減させた焦電型赤外線センサが得られる。
【００３１】
また、赤外線透過フィルターに形成される反射膜を、印刷法または塗布、転写、ディップ工法により形成すれば、スパッタ装置や真空蒸着装置のような大掛かりな製造設備を用いることなく反射膜を形成できる。すなわち、安価な焦電型赤外線センサが得られる。
【００３２】
また、上記方法に変えて、シールドケースまたは前記赤外線透過フィルターに、表面に反射膜を形成した薄板を貼り合わせることにより、より簡便に焦電型赤外線センサが得られる。
【図面の簡単な説明】
【００３３】
【図１】本発明による焦電型赤外線センサの実施形態を示す概略図であり、図１（ａ）は本発明による焦電型赤外線センサの動作説明図である。図１（ｂ）はセンサ素子の平面図であり、図１（ｃ）は赤外線透過フィルターの平面図であり、図１（ｄ）は本発明による焦電型赤外線センサのブロック図である。
【図２】本発明による焦電型赤外線センサの第二の実施形態を示す概略図であり、図２（ａ）は本発明による焦電型赤外線センサの動作説明図である。図２（ｂ）はセンサ素子の平面図であり、図２（ｃ）は赤外線透過フィルターの平面図である。
【図３】本発明による焦電型赤外線センサの第三の実施形態を示す概略図であり、図３（ａ）は本発明による焦電型赤外線センサの動作説明図である。図３（ｂ）はセンサ素子の平面図であり、図３（ｃ）は赤外線透過フィルターの平面図である。
【図４】本発明による焦電型赤外線センサの第四の実施の形態を示す図であり、図４（ａ）はセンサ素子の平面図であり、図４（ｂ）は赤外線透過フィルターの平面図である。
【発明を実施するための形態】
【００３４】
以下、図面を参照して本発明の実施の形態を説明する。
【００３５】
図１は、本発明による焦電型赤外線センサの実施形態を示す概略図である。図１（ａ）は本発明による焦電型赤外線センサの動作説明図である。図１（ｂ）はセンサ素子の平面図であり、図１（ｃ）は赤外線透過フィルターの平面図であり、図１（ｄ）は本発明による焦電型赤外線センサのブロック図である。図１（ａ）上部に示すように、測定対象物が視野角１１ａに図の左側から進入すると、表面電極２ａ近傍の電気的な中性状態が崩れ、Ｖｏｕｔの電圧を基準としてマイナス側に電位が検出される。さらに移動を続けて視野角１１ｂに進入すると、今度は表面電極２ｂ近傍の電気的な中性状態が崩れ、Ｖｏｕｔの電圧を基準としてプラス側に電位が検出されるので、測定対象物が出入りする際の方向検知として利用することが可能である。
【００３６】
本実施形態において、センサ素子１は図１（ｂ）に示すとおり、受光面側に表面電極２ａおよび２ｂが互いに接続された状態で設置され、表面電極２ａは温度補償電極、表面電極２ｂは受光電極としてそれぞれ使用される。また、センサ素子１の裏面には、焦電体基板を挟んで表面電極２ａおよび２ｂとそれぞれ対向するように裏面電極３ａおよび３ｂが設置される。
【００３７】
裏面電極３ａおよび３ｂに設けられた出力電極は導電接着剤５により回路基板６に接着される。回路基板６には、インピーダンス変換回路として、接合型電界効果トランジスタ４が実装されている。図１（ｄ）に示すように、接合型電界効果トランジスタ４のゲート入力電極は裏面電極３ａに、ＧＮＤは裏面電極３ｂにそれぞれ接続され、センサ素子１の出力信号をインピーダンス変換して出力する。
【００３８】
回路基板６の外周はシールドケース８で覆われ、シールドケース８の受光面側に設けられた開口部１０には、赤外線透過フィルター７が固着される。赤外線透過フィルター７には、図１（ｃ）に示すとおり、赤外線透過フィルター７と表面電極２ａが対向する位置に、赤外線を反射する反射膜９が設けられる。本実施形態においては、反射膜９として厚み０．５μｍのＡｇ膜を形成する。
【００３９】
ここで、反射膜９は、センサ素子の高さに影響を与えないようにするため、スパッタ法または真空蒸着法等により１μｍ以下の厚みで形成する。反射膜９の熱容量はセンサ素子１の熱容量に比較して十分小さいため、センサ素子の特性に与える影響はきわめて小さい。なお、この反射膜を形成する工程は、赤外線透過フィルター７の製造過程における真空蒸着工程で、赤外線透過膜の形成と同時に実施できる。
【００４０】
また、反射膜９は、印刷法または塗布、転写、ディップ工法のいずれかにより形成することもできるし、表面に反射膜を形成した薄板を所定の形状にカットしたものを、シールドケースまたは前記赤外線透過フィルターに貼付してもよい。これらの方法によれば、スパッタ装置や真空蒸着装置のような大掛かりな製造設備を用いることなく反射膜を形成できるので、安価な焦電型赤外線センサが得られる。
【００４１】
赤外線を検知可能な視野角は、この反射膜９と、シールドケース８の開口部１０と、表面電極２ａおよび２ｂの位置関係によって決定される。ここで反射膜９は、シールドケースの外側に配置しても構わないが、センサ素子１の受光側電極面に対向する側に配置することで、遮蔽が必要な電極である表面電極２ａの視野角を狭くする一方、受光用の電極である表面電極２ｂの視野角を広くできる。そのため視野角が重複した場合でも、センサ出力が相殺される領域を極めて少なくできる。その結果、数ｍの範囲であれば十分な検知能力を有する焦電型赤外線センサが得られる。
【００４２】
図２は本発明による焦電型赤外線センサの第二の実施形態を示す概略図であり、図２（ａ）は本発明による焦電型赤外線センサの動作説明図である。図２（ｂ）はセンサ素子の平面図であり、図２（ｃ）は赤外線透過フィルターの平面図である。図２（ａ）において、裏面電極３ａおよび３ｂと表面電極２ａおよび２ｂとが焦電体基板を挟んでそれぞれ対向している点は先の実施形態と同様であるが、焦電体基板の受光面側に設置された表面電極２ａおよび２ｂは、いずれも受光電極として使用し、反射膜９は表面電極２ａを覆うのではなく、図２（ｂ）、（ｃ）に示すように表面電極２ａ、２ｂの中間に存在する接続パターンを覆うように形成する点で異なる。
【００４３】
以上の構成によれば、分極方向の異なる焦電体が二つ直列に接続された状態と等価になり、仮に外部温度の変化または外来光等で両焦電素子に電荷が発生したとしても、表面電極２ａおよび２ｂ上に存在する電荷の総量は一定であるから、各々の出力が相殺され、赤外線以外の影響が補償される。
【００４４】
この焦電型赤外線センサの動作を、図２を用いて説明する。図２（ａ）において、仮に測定対象物が図の左側から視野角１１ｂに進入すると、表面電極２ａ近傍の電気的な中性状態が崩れ、Ｖｏｕｔの電圧を基準としてマイナス側に電位が検出される。さらに移動を続けて視野角１１ａに進入すると、表面電極２ｂ近傍の電気的な中性状態が崩れ、Ｖｏｕｔの電圧を基準としてプラス側に電位が検出されるので、測定対象物が出入りする際の方向検知として利用することが可能である。さらには反射膜の幅を変えることで、各視野角で検知されない中間の領域（不感帯領域）を容易に形成できる。この不感帯領域と視野角との間の出入りを検知することで、より測定対象物が狭い範囲で動く場合にもセンサを反応できる。
【００４５】
本実施形態において、センサ素子表面電極で吸収した熱の放出を出来るだけ少なくするため、センサ素子１と回路基板６は一定の間隔を空けて実装すると良い。
【００４６】
また、ノイズ対策として、赤外線透過フィルター７はシールドケース８の開口部に固着し、シールドケース８の一端を回路基板６のグランドへ電気的に接続しておくと良い。
【００４７】
赤外線を検知可能な視野角は、この反射膜９と、シールドケース８の開口部１０と、表面電極２ａおよび２ｂの位置関係によって決定される。反射膜９を表面電極２ａ、２ｂの中間に存在する接続パターンを覆うように形成することにより、表面電極２ａ、２ｂが赤外線を検知可能な視野角が重なり合うことがなくなり、センサ出力が相殺されることはない。
【００４８】
図３は本発明による焦電型赤外線センサの第三の実施形態を示す概略図であり、図３（ａ）は本発明による焦電型赤外線センサの動作説明図である。図３（ｂ）はセンサ素子の平面図であり、図３（ｃ）は赤外線透過フィルターの平面図である。図３（ａ）上部において、仮に測定対象物が左側の視野角１１ｂに図の左側から進入すると、表面電極２ａ近傍の電気的な中性状態が崩れ、Ｖｏｕｔの電圧を基準としてマイナス側に電位が検出される。さらに移動を続けて視野角１１ａに進入すると、プラス側の電位が検出される。さらに右に移動を続けて右側の視野角１１ｂに侵入すると表面電極２ｂ近傍の電気的な中性状態が崩れ、Ｖｏｕｔからマイナスの電位が検出される。また、視野角１１ａと１１ｂの間には、どちらの視野範囲にも属さない不感帯領域をつくることにより検知領域を細分化することが可能となり、各領域を横切った場合は勿論のこと、細かい動作においてもセンサ出力が得られる。
【００４９】
図３（ｂ）において、表面電極２ａ、２ｂは、電極幅の比をおおよそ１：２：１とした焦電体受光面のほぼ中央に配置し、隣り合う電極同士を互いに接続する。すなわち、表面電極２ａを焦電体のほぼ中央に、その両脇に表面電極２ａと高さが等しく幅がほぼ半分の表面電極２ｂをそれぞれ配置する。さらに、焦電体基板を挟んで表面電極２ａ、２ｂと対向するように裏面電極３ａ、３ｂを配置する。
【００５０】
先の第二の実施形態と同様に、図３（ｃ）に示すように表面電極２ａ、２ｂの中間に存在する接続パターンを覆うように反射膜９を形成する。赤外線を検知可能な視野角は、この反射膜９と、シールドケース８の開口部１０と、表面電極２ａおよび２ｂの位置関係によって決定される。反射膜９を表面電極２ａ、２ｂの中間に存在する接続パターンを覆うように形成することにより、表面電極２ａ、２ｂが赤外線を検知可能な視野角が重なり合うことはなくなり、センサ出力の相殺はなくなる。
【００５１】
図４は本発明による焦電型赤外線センサの第四の実施の形態を示す図であり、図４（ａ）はセンサ素子の平面図であり、図４（ｂ）は赤外線透過フィルターの平面図である。図４において、表面電極はほぼ等しい面積で４つに分割され、表面電極２ａ、２ｂと表面電極２ｃ、２ｄをペアにしてそれぞれ接続し、その表面電極にそれぞれ対向して形成された裏面電極３ａ、３ｃと裏面電極３ｂ、３ｄおよび出力電極によって表面電極２ａ、２ｂと表面電極２ｃ、２ｄが並列に接続されている。このような構成とすることで、電極が２つの場合に比べてより細かい位置の検知が可能となる。さらに細かい検知を必要とするような電極を複数並べるアレイ型の素子においても、これら同様、容易に対応できる。
【００５２】
尚、これらの実施例に留まらず、請求の範囲内で様々な工夫を加えることも可能であり、様々な要求に応じて変形することでもよい。
【符号の説明】
【００５３】
１      センサ素子
２ａ、２ｂ、２ｃ、２ｄ      表面電極
３ａ、３ｂ、３ｃ、３ｄ      裏面電極
４      接合型電界効果トランジスタ
５      導電接着剤
６      回路基板
７      赤外線透過フィルター
８      シールドケース
９      反射膜
１０      開口部
１１ａ、１１ｂ      視野角
【図１】
0005226883.tif 000002
【図２】
0005226883.tif 000003
【図３】
0005226883.tif 000004
【図４】
0005226883.tif 000005